(57)【要約】【課題】限られた画像パターンのみしか画像の種類が無いような場合に、低コストで簡単な装置により、極めて簡略化された書込み方法で書込み可能な光書込み型表示媒体を提供すること。および、当該技術の具体的利用例を提供すること。【解決手段】少なくとも一方が透明である一対の電極層３，６の間に、少なくとも、光を反射する表示層７と、特定波長域の光を吸収して該吸収した光の光量に応じて抵抗値を変化させる光導電層１０とが積層挟持されてなり、一対の電極層３，６間に所定の電圧を印加しつつ、光導電層１０に所定の波長並びに光量の書込み光を照射することで表示層１０の平面的部位毎に表示層７に相変化がもたらされて画像が書き込まれる光書込み型表示媒体１であって、所定の波長および／または光量の書込み光に対する感度が、平面的部位毎に異なる光書込み型表示媒体、および当該技術を利用した光量計である。【選択図】図１
2007192995.tif 000002
【特許請求の範囲】
【請求項１】
少なくとも一方が透明である一対の電極層の間に、少なくとも、光を反射する表示層と、特定波長域の光を吸収して該吸収した光の光量に応じて抵抗値を変化させる光導電層とが積層挟持されてなり、前記一対の電極層間に所定の電圧を印加しつつ、該光導電層に所定の波長並びに光量の書込み光を照射することで前記表示層の平面的部位毎に前記表示層に相変化がもたらされて画像が書き込まれる光書込み型表示媒体であって、
所定の波長および／または光量の書込み光に対する感度が、平面的部位毎に異なることを特徴とする光書込み型表示媒体。
【請求項２】
所定の波長および／または光量の書込み光に対する感度の異なる部位毎に、平面的に分画されていることを特徴とする請求項１に記載の光書込み型表示媒体。
【請求項３】
所定の波長および／または光量の書込み光に対する感度が、平面的に漸次変化する部位を有することを特徴とする請求項１または２に記載の光書込み型表示媒体。
【請求項４】
前記光導電層を、所定の波長および／または光量の書込み光に対する抵抗値が平面的部位毎に異なるように配することで、全体としての感度が平面的部位毎に異なることを特徴とする請求項１〜３のいずれかに記載の光書込み型表示媒体。
【請求項５】
前記光導電層の厚み、濃度および種類からなる群から選ばれる少なくともいずれか１つの条件を平面的部位毎に異ならせることで、所定の波長および／または光量の書込み光に対しての抵抗値を平面的部位毎に異ならせることを特徴とする請求項４に記載の光変調素子。
【請求項６】
前記光導電層が、有機光導電体からなることを特徴とする請求項１〜５のいずれかに記載の光変調素子。
【請求項７】
所定の波長の書込み光を吸収するフィルターを、平面的に所定の部位に配することで、全体としての感度が平面的部位毎に異なることを特徴とする請求項１に記載の光書込み型表示媒体。
【請求項８】
相変化のしきい値電圧の異なる表示層を平面的部位毎に配することで、全体としての感度が平面的部位毎に異なることを特徴とする請求項１〜７のいずれかに記載の光書込み型表示媒体。
【請求項９】
前記表示層が、コレステリック液晶を含むことを特徴とする請求項１〜８のいずれかに記載の光書込み型表示媒体。
【請求項１０】
前記表示層が、高分子中に前記コレステリック液晶が分散されてなることを特徴とする請求項９に記載の光書込み型表示媒体。
【請求項１１】
少なくとも一方が透明である一対の電極層の間に、少なくとも、光を反射する表示層と、特定波長域の光を吸収して該吸収した光の光量に応じて抵抗値を変化させる光導電層とが積層挟持されてなる検知・表示部と、前記一対の電極層間に所定の電圧を印加する電源部とからなり、
所定の波長および／または光量の光に対する感度が、平面的に見て断続的または連続的に増加または減少するように構成されてなることを特徴とする光量計。
【発明の詳細な説明】
【技術分野】
【０００１】
本発明は、表示層と光応答性を有する光導電層とが積層挟持されてなり、光によって画像の書込みが可能な光書込み型表示媒体に関する。また、当該光書込み型表示媒体の技術をそのまま利用した光量計に関する。
【背景技術】
【０００２】
森林資源保護などの地球環境保全や、スペースセーブといった事務環境改善などの理由から、紙に替わるハードコピー技術として、リライタブルマーキング技術への期待が大きい。
より一層利便性の高い各種リライタブルマーキング技術の研究が為されているが、その１つの方向性として、表示層（特に液晶層）と光導電層とを積層した光書込み型表示媒体による技術は、繰り返し記録／消去を行うことを可能とし、その他優れた特性を実現し得ることから注目されている。
【０００３】
かかる光書込み型表示媒体に画像の書込みをするには、光の透過・不透過が画像様に選択された光変調素子と当該媒体とを重ね合わせた上で、前記光変調素子側の面から全面照射を行う方法や、レーザ書込みのようにスポット光源をオンオフさせつつ当該媒体の表面を走査して直接像様に書き込む方法等が一般的な方法として挙げられる。
【０００４】
しかし、後者の走査による書込み方法では、当該媒体の表面をスポット光源で走査するための時間がかかり、画像書込み時間が長くなってしまう問題や書込み装置が大型化・高コスト化してしまい、簡易的な画像書き込みには不向きであると言った問題がある。
【０００５】
一方、前者の光変調素子による書込み方法では、後者の走査による書込み方法程ではないものの、比較的高コストである光変調素子が必須であることから、書込み装置のその分の高コスト化は避けられず、より簡易的な画像書き込みが可能な光書込み型表示媒体が求められている。
【０００６】
特に、限られた画像パターンのみしか画像の種類が無いような場合にも、複雑な画像を書き込むことが可能な光変調素子が必要となるのでは不合理であり、例えば、０〜９まで１０種類の文字しかない数字の表示等、数種類程度のパターン表示用には、より簡略化された書込み方法で書込み可能な光書込み型表示媒体が求められる。
【０００７】
【特許文献１】特開平１０−１７７１９１号公報
【発明の開示】
【発明が解決しようとする課題】
【０００８】
したがって、本発明の目的は、限られた画像パターンのみしか画像の種類が無いような場合に、低コストで簡単な装置により、極めて簡略化された書込み方法で書込み可能な光書込み型表示媒体を提供することにある。
また、本発明の他の目的は、当該光書込み型表示媒体の技術の具体的利用例（光量計）を提供することにある。
【課題を解決するための手段】
【０００９】
上記目的は、以下の本発明により達成される。すなわち本発明は、少なくとも一方が透明である一対の電極層の間に、少なくとも、光を反射する表示層と、特定波長域の光を吸収して該吸収した光の光量に応じて抵抗値を変化させる光導電層とが積層挟持されてなり、前記一対の電極層間に所定の電圧を印加しつつ、該光導電層に所定の波長並びに光量の書込み光を照射することで前記表示層の平面的部位毎に前記表示層に相変化がもたらされて画像が書き込まれる光書込み型表示媒体であって、
所定の波長および／または光量の書込み光に対する感度が、平面的部位毎に異なることを特徴とする光書込み型表示媒体である。
【００１０】
本発明によれば、所定の波長および／または光量の書込み光に対する感度が平面的部位毎に異なる状態となっているので、ある特定の波長ないし光量の書込み光を照射した場合に、平面的部位によって、表示層が相変化したりしなかったりすることで、照射した特定の波長ないし光量の書込み光に応じた画像を書き込み・表示することができる。
【００１１】
例えば、単純に平面的にＡＢ２つの領域があり、それらがそれぞれＡ：波長ａｎｍ、Ｂ：波長ｂｎｍに対して感度がある場合に、全体に波長ａｎｍのみを含む十分な光量の光を照射するとＡの部位のみが発色し（表示層が反射状態になることをいう。以下同様。）、同様に波長ｂｎｍのみを含む光を照射するとＢの部位のみが発色し、波長ａｎｍとｂｎｍの双方を含む光を照射するとＡＢの両部位が発色する。そして、波長ａｎｍとｂｎｍのどちらも含まない光を照射するか、あるいは何ら光を照射しないと、ＡＢの両部位とも発色しない。
【００１２】
このように、所定の波長の書込み光に対する感度が異なるＡＢ２つの部位からなる、単純な構成の本発明の光書込み型表示媒体を例に挙げても、光の波長を適宜選択して照射するだけで、４パターンの画像を選択して書込み・表示することができる。
【００１３】
本発明の光書込み型表示媒体においては、例えば、所定の波長および／または光量の書込み光に対する感度の異なる部位毎に、平面的に分画された構成とすることができ、また、所定の波長および／または光量の書込み光に対する感度が、平面的に漸次変化する部位を有する構成とすることもできる。前者の場合、書込み光を、表示させたい部位に応じて所定の波長および／または光量とすることで、いわばデジタル的に分画された部位毎に表示・非表示を選択して画像を書込み・表示することができる。一方、後者の場合、所定の波長の書込み光の照射光量を適宜調節することにより、その光量に応じた領域面積の平面部位が表示されることになり、無段階に（いわばアナログ的に）表示面積を選択して画像を書込み・表示することができる。
【００１４】
所定の波長および／または光量の書込み光に対する感度を、平面的部位毎に異なるものとするには、例えば、以下の（Ａ）〜（Ｃ）に示す方法が挙げられる。
【００１５】
（Ａ）前記光導電層を、所定の波長および／または光量の書込み光に対する抵抗値が平面的部位毎に異なるように配する方法。
前記光導電層の光照射時の抵抗値が異なれば、表示層にかかる分圧も変わってくるので、全体として感度が平面的部位毎に異なるものとなる。
この具体的な方法としては、例えば、前記光導電層の厚みや濃度、種類等の条件を平面的部位毎に異ならせることで、所定の波長および／または光量の書込み光に対しての抵抗値を平面的部位毎に異ならせる方法が挙げられる。
【００１６】
（Ｂ）所定の波長の書込み光を吸収するフィルターを、平面的に所定の部位に配する方法。
所定の波長の書込み光を吸収するフィルターを配すれば、配していない箇所に比して感度は低くなり、全体として感度が平面的部位毎に異なるものとなる。
【００１７】
（Ｃ）相変化のしきい値電圧の異なる表示層を平面的部位毎に配する方法。
相変化のしきい値電圧が異なれば、同じ書込み光の光量でも相変化する部位としない部位とに分かれるため、全体として感度が平面的部位毎に異なるものとなる。
【００１８】
前記光導電層としては、有機光導電体からなるものが好ましい。
前記表示層としては、コレステリック液晶を含むことが好ましく、これが高分子中に分散されてなる表示層であることが特に好ましい。
【００１９】
本発明の光書込み型表示媒体の技術の具体的利用例としては、少なくとも一方が透明である一対の電極層の間に、少なくとも、光を反射する表示層と、特定波長域の光を吸収して該吸収した光の光量に応じて抵抗値を変化させる光導電層とが積層挟持されてなる検知・表示部と、前記一対の電極層間に所定の電圧を印加する電源部とからなり、
所定の波長および／または光量の光に対する感度が、平面的に見て断続的または連続的に増加または減少するように構成されてなることを特徴とする光量計が挙げられる。
【発明の効果】
【００２０】
本発明によれば、限られた画像パターンのみしか画像の種類が無いような場合に、低コストで簡単な装置により、極めて簡略化された書込み方法で書込み可能な光書込み型表示媒体を提供することができる。
また、当該本発明の光書込み型表示媒体の技術の具体的利用例としての光量計を提供することができる。
【発明を実施するための最良の形態】
【００２１】
以下、好ましい実施形態を挙げて本発明を具体的に説明する。
＜基本構成＞
本発明の光書込み型表示媒体の基本構成について、先ず説明する。図１は、本発明の例示的一態様である実施形態の光書込み型表示媒体と、それに書き込みを行っている様子を示す概略構成図である。なお、図１に示す光書込み型表示媒体には、本発明の特徴である「所定の波長および／または光量の書込み光に対する感度が、平面的部位毎に異なる」構成については、図面上現れていないが、当該構成については＜特徴的な構成＞の項で詳述する。
図１においては、本発明の光書込み型表示媒体である表示媒体１とともに、それに画像を書き込むための電源装置１７および光照射装置１８が表されている。
【００２２】
＜光書込み型表示媒体＞
本実施形態において、表示媒体（光書込み型表示媒体）１は、表示面側から順に、透明基板３、透明電極５、表示層７、ラミネート層８、着色層（遮光層）９、ＯＰＣ層（光導電層）１０、透明電極（電極層）６および透明基板４が積層されてなる物である。
【００２３】
（透明基板）
透明基板３，４は、各機能層を内面に保持し、表示媒体の構造を維持する目的の部材である。透明基板３，４は、外力に耐える強度を有するシート形状の物体であり、表示面側の透明基板３は少なくとも入射光を、書き込み面側の透明基板４は少なくともアドレス光を、それぞれ透過する機能を有する。使用目的によっては、フレキシブル性を有することが好ましい。具体的な材料としては、無機シート（たとえばガラス・シリコン）、高分子フィルム（たとえばポリエチレンテレフタレート、ポリスルホン、ポリエーテルスルホン、ポリカーボネート、ポリエチレンナフタレート）等を挙げることができる。外表面に、防汚膜、耐磨耗膜、光反射防止膜、ガスバリア膜など公知の機能性膜を形成してもよい。
【００２４】
（透明電極）
透明電極（電極層）５，６は、電源装置１７から印加されたバイアス電圧を、光アドレス素子内の各機能層へ面均一に印加する目的の部材である。透明電極５，６は、面均一な導電性を有し、表示面側の透明電極５は少なくとも入射光を、書き込み面側の透明電極６は少なくともアドレス光を透過する機能を有する。具体的には、金属（たとえば金、アルミニウム）、金属酸化物（たとえば酸化インジウム、酸化スズ、酸化インジウムスズ（ＩＴＯ））、導電性有機高分子（たとえばポリチオフェン系・ポリアニリン系）などで形成された導電性薄膜を挙げることができる。表面に、密着力改善膜、光反射防止膜、ガスバリア膜など公知の機能性膜を形成してもよい。なお、本発明において表示側からアドレス光を入射することもでき、この場合表示側で無い側の電極（本実施形態で言えば透明電極６）は、透明でなくても構わない。
【００２５】
（表示層）
本発明において表示層とは、電場によって入射光のうち特定の色光の反射・透過状態を変調する機能を有し、選択した状態が無電場で保持できる性質のものである。曲げや圧力などの外力に対して変形しない構造であることが好ましい。
【００２６】
本発明において表示層としては、光を反射する機能を有する層であれば特に制限は無く、例えば液晶の相変化を利用するのであれば、垂直配向ネマチック液晶、平行配向ネマチック液晶、ツイストネマチック液晶、スーパーツイストネマチック液晶、表面安定化強誘電性液晶等、偏光状態の変化を利用する方式のもの、高分子分散型液晶などの光散乱状態の変化を利用する方式のもの、ゲストホスト液晶などの光吸収状態の変化を利用する方式のもの、コレステリック（カイラルネマチック）液晶などの光干渉状態の変化を利用する方式のものなど、光学効果の異なる種々の液晶素子を用いることができる。本実施形態では、最後者の方式のものを例示している。
【００２７】
本実施形態において表示層としては、コレステリック液晶および透明樹脂からなる自己保持型液晶複合体の液晶層が形成されてなるものである。すなわち、複合体として自己保持性を有するためスペーサ等を必要としない液晶層である。本実施形態では、不図示ではあるが、高分子マトリックス（透明樹脂）中にコレステリック液晶が分散した状態となっている。
なお、本発明においては、表示層が、自己保持型液晶複合体の液晶層であることは必須ではなく、単に液晶のみで表示層を構成することとしても勿論構わないし、液晶以外の表示方式であっても構わない。
【００２８】
コレステリック液晶は、入射光のうち特定の色光の反射・透過状態を変調する機能を有し、液晶分子がらせん状に捩れて配向しており、らせん軸方向から入射した光のうち、らせんピッチに依存した特定の光を干渉反射する。電場によって配向が変化し、反射状態を変化させることができる。表示層を自己保持型液晶複合体とする場合には、ドロップサイズが均一で、単層稠密に配置されていることが好ましい。
【００２９】
コレステリック液晶として使用可能な具体的な液晶としては、ネマチック液晶やスメクチック液晶（たとえばシッフ塩基系、アゾ系、アゾキシ系、安息香酸エステル系、ビフェニル系、ターフェニル系、シクロヘキシルカルボン酸エステル系、フェニルシクロヘキサン系、ビフェニルシクロヘキサン系、ピリミジン系、ジオキサン系、シクロヘキシルシクロヘキサンエステル系、シクロヘキシルエタン系、シクロヘキサン系、トラン系、アルケニル系、スチルベン系、縮合多環系）、またはこれらの混合物に、光学活性材料（たとえばステロイド系コレステロール誘導体、シッフ塩基系、アゾ系、エステル系、ビフェニル系）を添加したもの等を挙げることができる。
【００３０】
コレステリック液晶の螺旋ピッチは、ネマチック液晶に対するカイラル剤の添加量で調整する。例えば、表示色を青、緑、あるいは赤とする場合には、それぞれ選択反射の中心波長が、順に４００ｎｍ〜５００ｎｍ、５００ｎｍ〜６００ｎｍ、あるいは６００ｎｍ〜７００ｎｍの範囲になるようにする。また、コレステリック液晶の螺旋ピッチの温度依存性を補償するために、捩じれ方向が異なる、または逆の温度依存性を示す複数のカイラル剤を添加する公知の手法を用いてもよい。
【００３１】
表示層７がコレステリック液晶と高分子マトリックス（透明樹脂）からなる自己保持型液晶複合体を形成する形態としては、コレステリック液晶の連続相中に網目状の樹脂を含むＰＮＬＣ（Ｐｏｌｙｍｅｒ Ｎｅｔｗｏｒｋ Ｌｉｑｕｉｄ Ｃｒｙｓｔａｌ）構造や、高分子の骨格中にコレステリック液晶がドロップレット状に分散されたＰＤＬＣ（Ｐｏｌｙｍｅｒ Ｄｉｓｐｅｒｓｅｄ Ｌｉｑｕｉｄ Ｃｒｙｓｔａｌ）構造を用いることができ、ＰＮＬＣ構造やＰＤＬＣ構造とすることによって、コレステリック液晶と高分子の界面にアンカリング効果を生じ、無電界でのプレーナ相またはフォーカルコニック相の保持状態を、より安定にすることができる。
【００３２】
ＰＮＬＣ構造やＰＤＬＣ構造は、高分子と液晶とを相分離させる公知の方法、例えば、アクリル系、チオール系、エポキシ系などの、熱や光、電子線などによって重合する高分子前駆体と液晶を混合し、均一相の状態から重合させて相分離させるＰＩＰＳ（Ｐｏｌｙｍｅｒｉｚａｔｉｏｎ Ｉｎｄｕｃｅｄ ＰｈａｓｅＳｅｐａｒａｔｉｏｎ）法、ポリビニルアルコールなどの、液晶の溶解度が低い高分子と液晶とを混合し、攪拌懸濁させて、液晶を高分子中にドロップレット分散させるエマルジョン法、熱可塑性高分子と液晶とを混合し、均一相に加熱した状態から冷却して相分離させるＴＩＰＳ（Ｔｈｅｒｍａｌｌｙ Ｉｎｄｕｃｅｄ Ｐｈａｓｅ Ｓｅｐａｒａｔｉｏｎ）法、高分子と液晶とをクロロホルムなどの溶媒に溶かし、溶媒を蒸発させて高分子と液晶とを相分離させるＳＩＰＳ（Ｓｏｌｖｅｎｔ Ｉｎｄｕｃｅｄ Ｐｈａｓｅ Ｓｅｐａｒａｔｉｏｎ）法などによって形成することができるが、特に限定されるものではない。
【００３３】
高分子マトリックスは、コレステリック液晶を保持し、表示媒体の変形による液晶の流動（画像の変化）を抑制する機能を有するものであり、液晶材料に溶解せず、また液晶と相溶しない液体を溶剤とする高分子材料が好適に用いられる。また、高分子マトリックスとしては、外力に耐える強度をもち、少なくとも反射光およびアドレス光に対して高い透過性を示す材料であることが望まれる。
【００３４】
高分子マトリックスとして採用可能な材料としては、水溶性高分子材料（たとえばゼラチン、ポリビニルアルコール、セルロース誘導体、ポリアクリル酸系ポリマー、エチレンイミン、ポリエチレンオキサイド、ポリアクリルアミド、ポリスチレンスルホン酸塩、ポリアミジン、イソプレン系スルホン酸ポリマー）、あるいは水性エマルジョン化できる材料（たとえばフッ素樹脂、シリコーン樹脂、アクリル樹脂、ウレタン樹脂、エポキシ樹脂）等を挙げることができる。
【００３５】
（ＯＰＣ層）
ＯＰＣ層（光導電層）１０は、内部光電効果をもち、アドレス光の照射強度に応じてインピーダンス特性が変化する特性を有する層である。交流（ＡＣ）動作が可能であり、アドレス光に対して対称駆動であることが望ましい。電荷発生層（ＣＧＬ）が電荷輸送層（ＣＴＬ）の上下に積層された３層構造に形成されてなる。本実施形態では、ＯＰＣ層１０として、図１における上層から順に上側の電荷発生層１３、電荷輸送層１４および下側の電荷発生層１５が積層されてなる。
【００３６】
電荷発生層１３，１５は、アドレス光を吸収して光キャリアを発生させる機能を有する層である。主に、電荷発生層１３が表示面側の透明電極５から書き込み面側の透明電極６の方向に流れる光キャリア量を、電荷発生層１５が書き込み面側の透明電極６から表示面側の透明電極５の方向に流れる光キャリア量を、それぞれ左右している。電荷発生層１３，１５としては、アドレス光を吸収して励起子を発生させ、ＣＧＬ内部、またはＣＧＬ／ＣＴＬ界面で自由キャリアに効率良く分離させられるものが好ましい。
【００３７】
電荷発生層１３，１５は、電荷発生材料（たとえば金属又は無金属フタロシアニン、スクアリウム化合物、アズレニウム化合物、ペリレン顔料、インジゴ顔料、ビスやトリス等アゾ顔料、キナクリドン顔料、ピロロピロール色素、多環キノン顔料、ジブロモアントアントロンなど縮環芳香族系顔料、シアニン色素、キサンテン顔料、ポリビニルカルバゾールとニトロフルオレン等電荷移動錯体、ピリリウム塩染料とポリカーボネート樹脂からなる共昌錯体）を直接成膜する乾式法か、またはこれら電荷発生材料を、高分子バインダー（たとえばポリビニルブチラール樹脂、ポリアリレート樹脂、ポリエステル樹脂、フェノール樹脂、ビニルカルバゾール樹脂、ビニルホルマール樹脂、部分変性ビニルアセタール樹脂、カーボネート樹脂、アクリル樹脂、塩化ビニル樹脂、スチレン樹脂、ビニルアセテート樹脂、酢酸ビニル樹脂、シリコーン樹脂等）とともに適当な溶剤に分散ないし溶解させて塗布液を調製し、これを塗布し乾燥させて成膜する湿式塗布法等により形成することができる。
【００３８】
電荷輸送層１４は、電荷発生層１３，１５で発生した光キャリアが注入されて、バイアス信号で印加された電場方向にドリフトする機能を有する層である。一般にＣＴＬは、ＣＧＬの数１０倍の厚みを有するため、電荷輸送層１４の容量、電荷輸送層１４の暗電流、および電荷輸送層１４内部の光キャリア電流が、ＯＰＣ層１０全体の明暗インピーダンスを決定付けている。
【００３９】
電荷輸送層１４は、電荷発生層１３，１５からの自由キャリアの注入が効率良く発生し（電荷発生層１３，１５とイオン化ポテンシャルが近いことが好ましい）、注入された自由キャリアができるだけ高速にホッピング移動するものが好適である。暗時のインピーダンスを高くするため、熱キャリアによる暗電流は低い方が好ましい。
【００４０】
電荷輸送層１４は、低分子の正孔輸送材料（たとえばトリニトロフルオレン系化合物、ポリビニルカルバゾール系化合物、オキサジアゾール系化合物、ベンジルアミノ系ヒドラゾンあるいはキノリン系ヒドラゾン等のヒドラゾン系化合物、スチルベン系化合物、トリフェニルアミン系化合物、トリフェニルメタン系化合物、ベンジジン系化合物）、または低分子の電子輸送材料（たとえばキノン系化合物、テトラシアノキノジメタン系化合物、フルフレオン化合物、キサントン系化合物、ベンゾフェノン系化合物）を、高分子バインダー（たとえばポリカーボネート樹脂、ポリアリレート樹脂、ポリエステル樹脂、ポリイミド樹脂、ポリアミド樹脂、ポリスチレン樹脂、含珪素架橋型樹脂等）とともに適当な溶剤に分散ないし溶解させて塗布液を調製し、これを塗布し乾燥させて形成すればよい。
【００４１】
（着色層）
着色層（遮光層）９とは、アドレス光と入射光を光学分離し、相互干渉による誤動作を防ぐ目的で設けられる層であり、本発明において必須の構成要素ではない。ただし、表示媒体１の性能向上のためには、設けることが望まれる層である。その目的から、着色層９には、少なくともＣＧＬの吸収波長域の光を吸収する機能が要求される。
【００４２】
着色層９は、具体的には、無機顔料（たとえばカドミウム系、クロム系、コバルト系、マンガン系、カーボン系）、または有機染料や有機顔料（アゾ系、アントラキノン系、インジゴ系、トリフェニルメタン系、ニトロ系、フタロシアニン系、ペリレン系、ピロロピロール系、キナクリドン系、多環キノン系、スクエアリウム系、アズレニウム系、シアニン系、ピリリウム系、アントロン系）をＯＰＣ層１０の電荷発生層１３側の面に直接塗布して形成するか、あるいはこれらを高分子バインダー（たとえばポリビニルアルコール樹脂、ポリアクリル樹脂等）とともに適当な溶剤に分散ないし溶解させて塗布液を調製し、これを塗布し乾燥させて形成することができる。
【００４３】
（ラミネート層）
ラミネート層８は、ガラス転移点の低い高分子材料からなるものであり、熱や圧力によって表示層７と着色層９とを密着・接着させることができる材料が選択される。また、少なくとも入射光、アドレス光に対して透過性を有することが条件となる。
ラミネート層８に好適な材料としては、粘着性の高分子材料（たとえばウレタン樹脂、エポキシ樹脂、アクリル樹脂、シリコーン樹脂）を挙げることができる。
なお、ラミネート層８は、本発明において必須の構成要素ではない。
【００４４】
＜基本動作＞
本発明の光書込み型表示媒体においては、一対の電極層間に所定の電圧を印加しつつ、光導電層に所定の波長並びに光量の書込み光を照射することで表示層に相変化がもたらされて、画像が書込まれ、表示されるのが基本動作である。この基本動作を示すための書込み光に対する感度を平面的部位毎に異ならせている点が本発明に特徴的であるが、これについては後述することとし、本項においては基本動作そのものについてのみ説明する。
【００４５】
本実施形態においては、既述の通り、コレステリック液晶および透明樹脂からなる自己保持型液晶複合体の液晶層が表示層７として形成されてなるものである。
コレステリック液晶（カイラルネマチック液晶）が示すプレーナ相は、螺旋軸に平行に入射した光を右旋光と左旋光に分け、螺旋の捩じれ方向に一致する円偏光成分をブラッグ反射し、残りの光を透過させる選択反射現象を起こす。反射光の中心波長λおよび反射波長幅Δλは、螺旋ピッチをｐ、螺旋軸に直交する平面内の平均屈折率をｎ、複屈折率をΔｎとすると、それぞれ、λ＝ｎ・ｐ、Δλ＝Δｎ・ｐで表され、プレーナ相のコレステリック液晶層による反射光は、螺旋ピッチに依存した鮮やかな色を呈する。
【００４６】
正の誘電率異方性を有するコレステリック液晶は、図２（Ａ）に示すように、螺旋軸がセル表面に垂直になり、入射光に対して上記の選択反射現象を起こすプレーナ相、図２（Ｂ）に示すように、螺旋軸がほぼセル表面に平行になり、入射光を少し前方散乱させながら透過させるフォーカルコニック相、および図２（Ｃ）に示すように、螺旋構造がほどけて液晶ダイレクタが電界方向を向き、入射光をほぼ完全に透過させるホメオトロピック相、の３つの状態を示す。
【００４７】
上記の３つの状態のうち、プレーナ相とフォーカルコニック相は、無電界で双安定に存在することができる。したがって、コレステリック液晶の相状態は、液晶層に印加される電界強度に対して一義的に決まらず、プレーナ相が初期状態の場合には、電界強度の増加に伴って、プレーナ相、フォーカルコニック相、ホメオトロピック相の順に変化し、フォーカルコニック相が初期状態の場合には、電界強度の増加に伴って、フォーカルコニック相、ホメオトロピック相の順に変化する。
【００４８】
一方、液晶層に印加した電界強度を急激にゼロにした場合には、プレーナ相とフォーカルコニック相はそのままの状態を維持し、ホメオトロピック相はプレーナ相に変化する。
したがって、パルス信号を印加した直後のコレステリック液晶層は、図３に示すようなスイッチング挙動を示し、印加されたパルス信号の電圧が、Ｖｆｈ以上のときには、ホメオトロピック相からプレーナ相に変化した選択反射状態となり、ＶｐｆとＶｆｈの間のときには、フォーカルコニック相による透過状態となり、Ｖｐｆ以下のときには、パルス信号印加前の状態を継続した状態、すなわちプレーナ相による選択反射状態またはフォーカルコニック相による透過状態となる。
【００４９】
なお、図中、縦軸は正規化反射率であり、最大反射率を１００、最小反射率を０として、反射率を正規化している。また、プレーナ相、フォーカルコニック相およびホメオトロピック相の各状態間には、遷移領域が存在するため、正規化反射率が５０以上の場合を選択反射状態、正規化反射率が５０未満の場合を透過状態と定義し、プレーナ相とフォーカルコニック相の相変化のしきい値電圧をＶｐｆとし、フォーカルコニック相とホメオトロピック相の相変化のしきい値電圧をＶｆｈとする。
【００５０】
特に、コレステリック液晶の連続相中に網目状の樹脂を含むＰＮＬＣ（Ｐｏｌｙｍｅｒ  Ｎｅｔｗｏｒｋ  Ｌｉｑｕｉｄ  Ｃｒｙｓｔａｌ）構造や、高分子の骨格中にコレステリック液晶がドロップレット状に分散されたＰＤＬＣ（Ｐｏｌｙｍｅｒ  Ｄｉｓｐｅｒｓｅｄ  Ｌｉｑｕｉｄ  Ｃｒｙｓｔａｌ）構造（マイクロカプセル化されたものを含む）の液晶層においては、コレステリック液晶と高分子の界面における干渉により（アンカリング効果）、プレーナ相とフォーカルコニック相の無電界における双安定性が向上し、長期間に渡ってパルス信号印加直後の状態を保持することができる。
【００５１】
本実施形態の表示媒体１では、このコレステリック液晶の双安定現象を利用して、（Ａ）プレーナ相による選択反射状態と、（Ｂ）フォーカルコニック相による透過状態とを、電源装置１７により所定の電圧を印加しつつ光照射装置１８によりスイッチングすることによって、無電界でのメモリ性を有する画像が書込まれ、表示される。
【００５２】
電源装置１７により印加する電圧は、例えば、表示層７にＶｐｆ〜Ｖｆｈ間の分圧がかかり、光照射装置１８により所定の波長並びに強度の書込み光が照射された時に、表示層７にかかる分圧がＶｆｈ以上となる電圧としておく。かかる電圧が印加された状態では、プレーナ（Ｐ）状態の部位はフォーカルコニック（Ｆ）状態に相変化し、フォーカルコニック（Ｆ）状態の部位はそのまま相変化せず、全ての部位がフォーカルコニック（Ｆ）状態となる。
【００５３】
この状態で、光照射装置１８により選択的に書込み光が照射されると、当該照射された部位のみがＶｆｈ以上の分圧がかかり、フォーカルコニック（Ｆ）状態からホメオトロピック（Ｈ）状態に相変化する。その後印加電圧を解除すると、書込み光が照射されホメオトロピック（Ｈ）状態に相変化した部位は、選択反射状態のプレーナ（Ｐ）相となる。一方、書込み光が照射されなかった部位は、透過状態のフォーカルコニック（Ｆ）相のままである。このようにして相変化が選択的に為され、画像が書込まれる。
【００５４】
なお、本発明においては、どの相状態の変化を利用するかは特に制限は無く、所定の波長並びに強度の書込み光を選択的に照射することで相変化が生じ、反射／透過が選択されて画像が書き込みできれば問題無い。本実施形態の表示媒体１においても、例えば、Ｖｆｈ以上の電圧を印加してこれを解除する等により、予め全面をプレーナ（Ｐ）状態としておき、その後Ｖｐｆ以下で所定の波長並びに強度の書込み光が照射された時にＶｐｆ以上となる電圧を表示層７に印加しつつ、書込み光を選択的に照射して、当該照射された部位をフォーカルコニック（Ｆ）状態に相変化させる相変化を利用しても構わない。この場合、書込み光が照射された部位は、透過状態のフォーカルコニック（Ｆ）相となり、書込み光が照射されなかった部位は、選択反射状態のプレーナ（Ｐ）相となる。このようにして相変化が選択的に為され、画像が書込まれる。
【００５５】
＜特徴的な構成＞
本発明の光書込み型表示媒体においては、所定の波長および／または光量の書込み光に対する感度が、平面的部位毎に異なることが特徴的である。この点について詳述する。
【００５６】
図４に、本発明の光書込み型表示媒体の例示的一態様である実施形態の表示媒体１が、平面的部位毎にどのような書込み光に対して感度を有するかについて説明するための模式斜視図を示す。表示媒体１は、平面的に見てＡ〜Ｄの４つの部位に分画されていて、それぞれの部位は以下のような感度特性を有する。
【００５７】
・部位Ａ：１ｍＷ／ｃｍ2以上の赤色光で発色。
・部位Ｂ：１ｍＷ／ｃｍ2以上の青色光で発色。・部位Ｃ：０．１ｍＷ／ｃｍ2以上の赤色光で発色。・部位Ｄ：０．１ｍＷ／ｃｍ2以上の青色光で発色。
【００５８】
なお、上記記載で「発色」とあるのは、表示層７に所定の電圧（表示層７にＶｐｆ〜Ｖｆｈ間の分圧がかかる電圧）を印加した状態で上記各書込み光が照射された際に、フォーカルコニック（Ｆ）状態からホメオトロピック（Ｈ）状態に相変化し、印加電圧の解除後にプレーナ（Ｐ）状態に相変化して、選択反射状態になることを意味する。また、Ａ〜Ｄの各部位は、上記の書込み光の条件以外では発色しない。
【００５９】
かかる感度特性の表示媒体１に対して、２種類の書込み光を照射して画像を書込んだ際の状態を図５に模式斜視図にて示す。図５（ａ）は、書込み光として０．２ｍＷ／ｃｍ2の赤色光を全面照射した場合であり、図５（ｂ）は、書込み光として２ｍＷ／ｃｍ2の青色光を全面照射した場合である。図５においては、左側の図が書込み光を照射している様子を示し、右側の図が書込み後の発色状態を斜線のハッチングで示すものである。
【００６０】
書込み光として０．２ｍＷ／ｃｍ2の赤色光を全面照射した場合、図５（ａ）に示されるように、０．１ｍＷ／ｃｍ2以上の赤色光に感度を有するＣの部位のみが発色する。このとき、青色光で発色するＢおよびＤの部位は勿論、赤色光で発色するＡの部位も当該部位が感度を示す１ｍＷ／ｃｍ2以上の光ではないため発色しない。すなわち、０．２ｍＷ／ｃｍ2の赤色光で書込んだ場合、Ａの部位のみが発色した画像が形成される。
【００６１】
一方、書込み光として２ｍＷ／ｃｍ2の青色光を全面照射した場合、図５（ｂ）に示されるように、０．１ｍＷ／ｃｍ2以上の青色光に感度を有するＤの部位と、１ｍＷ／ｃｍ2以上の青色光に感度を有するＢの部位とが発色する。勿論、赤色光に感度を有するＡおよびＣの部位は発色しない。すなわち、２ｍＷ／ｃｍ2の青色光で書込んだ場合、ＢおよびＤの部位が発色した画像が形成される。
【００６２】
上記２種類の書込み光の他、赤色および青色の各光の光量の異なる（赤色では１ｍＷ／ｃｍ2以上、青色では０．１ｍＷ／ｃｍ2以上１ｍＷ／ｃｍ2未満）書込み光や、赤色および青色の両波長を含む書込み光（両波長とも大小２種の光量が選択できるため、４種類の書込み光がある。）、さらには書込み光未照射（あるいは０．１ｍＷ／ｃｍ2以上の赤色および青色の波長を含まない書込み光）を選択することにより、それぞれの光に応じた画像を書き込むことができる。すなわち、本実施形態の表示媒体１は、書込み光の波長ないし強度を選択して全面照射することにより、９種類の画像を選択的に書込むことができる。下記表１に、これら各書込み光の種類と、それに対応する表示画像とを示す。なお、下記表１における書込み光の光量は、一つの例示である。
【００６３】
【表１】
2007192995.tif 000003
【００６４】
このように、本実施形態の表示媒体１によれば、書込み光の波長ないし光量を９種類選択して全面照射することにより、９種類の画像バターンを簡単に表示することができる。このため、本実施形態の表示媒体１は、光変調素子を用いることなく、またレーザ光による書き込み等も必要とせず、低コストで簡単な装置により、極めて簡略化された書込み方法で書込み可能な光書込み型表示媒体であると言える。
【００６５】
また、本実施形態の表示媒体１は、１種類の光（勿論、複数色の光がミックスされた複数の波長を含む光についてもそれ全体として「１つの光」と言い得る。）を全面に照射するだけで所望の画像が得られるため、書き込みのための光照射装置１８と表示媒体１との間に厳密な位置合わせを必要とせず、この点においても極めて簡便な書き込み方法であると言える。
【００６６】
所定の波長および／または光量の書込み光に対する感度（感度特性）を、平面的部位毎に異なるものとするには、例えば、以下の（Ａ）〜（Ｃ）に示す方法が挙げられる。
【００６７】
（Ａ）ＯＰＣ層（光導電層）１０を、所定の波長および／または光量の書込み光に対する抵抗値が平面的部位毎に異なるように配する方法。
ＯＰＣ層１０の光照射時の抵抗値が異なれば、表示層にかかる分圧も変わってくるので、全体として感度が平面的部位毎に異なるものとなる。
【００６８】
この具体的な方法としては、例えば、前記光導電層の厚みを平面的部位毎に異ならせることで、所定の波長および／または光量の書込み光に対しての抵抗値を平面的部位毎に異ならせる方法が挙げられる。一般にＯＰＣ層では、電荷発生層の厚みが薄くなれば感度が下がる傾向にある。
【００６９】
また、光導電層を構成する材料やその濃度を異ならせることで、所定の波長および／または光量の書込み光に対しての抵抗値を平面的部位毎に異ならせても構わない。例えば、電荷発生材料の種類を適宜選択することで、特定波長に対して感度を有するものとすることができるし、感度を示すのに必要な光量も電荷発生材料によって差があるため、感度を示す波長並びに光量を適宜コントロールすることができる。勿論、電荷発生層中における電荷発生材料の濃度を下げても感度は低下する。
【００７０】
（Ｂ）所定の波長の書込み光を吸収するフィルターを、平面的に所定の部位に配する方法。
所定の波長の書込み光を吸収するフィルターを配すれば、配していない箇所に比して感度は低くなり、全体として感度が平面的部位毎に異なるものとなる。単純に赤色を吸収するフィルターを配すれば、当該部位については赤色に対する感度が無くなり（あるいは低くなり）、他の色の書込み光に対してしか発色しなくなる。
【００７１】
（Ｃ）相変化のしきい値電圧の異なる液晶を含む表示層７を平面的部位毎に配する方法。
相変化のしきい値電圧が異なれば、同じ書込み光の光量でも相変化する部位としない部位とに分かれるため、全体として感度が平面的部位毎に異なるものとなる。
【００７２】
表示層７の感度を決めるスイッチング挙動は、表示層７を構成するコレステリック液晶の誘電率異方性、弾性率、螺旋ピッチ、高分子の骨格構造や側鎖、相分離プロセス、高分子マトリックスと表示層７との界面のモルフォロジー、これらの総合によって決まる高分子マトリックスと表示層７との界面におけるアンカリング効果の程度などによって制御することができる。
【００７３】
より具体的には、ネマチック液晶の種類や組成比、カイラル剤の種類、樹脂の種類、高分子樹脂の出発物質であるモノマー、オリゴマー、開始剤、架橋剤などの種類や組成比、重合温度、光重合のための露光光源、露光強度、露光時間、雰囲気温度、電子線重合のための電子線強度、暴露時間、雰囲気温度、塗布時の溶媒の種類や組成比、溶液濃度、ウェット膜厚、乾燥温度、温度降下時の開始温度、温度降下速度などを適宜選択して調整することにより、表示層７のスイッチング挙動を制御することができる。
【００７４】
これら各構成要素の形成方法としては、特に制限は無く、従来公知の方法により行えばよい。特に、感度特性が異なるように分画して形成すべき構成要素（ＯＰＣ層１０、表示層７、不図示のフィルター層等）については、ある程度の精度で塗り分ける必要があり、それに応じた形成方法を採用することが望ましい。具体的な形成方法としては、例えば、大面積にわたる領域の場合には単なるベタ塗りで十分であり、精度を求めるのであればスクリーン印刷も採用することができる。また、高精細なパターン形成が望まれる場合には、同様にスクリーン印刷を採用したり、インクジェット方式の印刷を採用したりすることができる。
なお、後述するように感度特性が漸次変化するように構成する場合も、各構成要素の形成方法は、基本的に同様である。
【００７５】
＜具体的利用例＞
上記実施形態では、光書込み型表示媒体を平面的に４つのマスに分画して、これら分画された各部位の感度特性を適宜異ならせた例を挙げているが、本発明によれば、分画する領域の形状や数を適宜設定することにより、種々の画像を選択表示し得る光書込み型表示媒体を得ることができる。
【００７６】
また、上記実施形態では、本発明において「所定の波長および／または光量の書込み光に対する感度が、平面的部位毎に異なる」（すなわち「感度特性が平面的部位毎に異なる」）態様として、感度特性が異なる部位毎に平面的に分画されている構成を例示しているが、この他、感度特性が平面的に漸次変化する構成や当該構成を含む構成であっても構わない。後者の場合、例えば、所定の波長の光に対する感度が、平面的に徐々に高くなるように構成する例が挙げられる。
以下、本発明の光書込み型表示媒体の技術の具体的利用例を２つ挙げる。
【００７７】
（数字表示板）
デジタル表示において、０〜９の数字は、棒状の７つの部位を表示／非表示させることで表すことができ、従来から実用化されている。
図６に０〜９の数字をデジタル表示する際の表示要素を示す。ここで「表示要素」とは、画像を書込み・表示する際に表示／非表示が選択される部位の最小単位を意味し、０〜９の数字は、図６に示されるようにａ〜ｇの計７つの表示要素により表示される。より具体的に見ると、０〜９の数字は、それぞれ図７の（０）〜（９）に示されるように白抜き部の表示要素を発色させることで表すことができる。
【００７８】
すなわち、本発明の技術により０〜９の数字をデジタル表示するには、７つの表示要素について、所定の波長および／または光量の書込み光に対する感度が異なるように制御して光書込み型表示媒体を製造すればよいことになる。
【００７９】
さらにこの７つの表示要素の選択について、詳細に検討すると、これらを完全に別々に制御しなくても足りることがわかる。例えば、図６における表示要素ａは、図７を見ればわかるとおり、「０」「４」「５」「６」「８」「９」の６つの数字に用いられるが、その際には必ず表示要素ｄも用いられているため、表示要素ａを発色させる際には同時に表示要素ｄも発色させればよいことになる。
下記表２に各数字と表示要素との対応表を示す。
【００８０】
【表２】
2007192995.tif 000004
【００８１】
上記表２の対応表から、図６における表示要素ａ〜ｇに対応する部位ついて、例えば下記表３のような感度特性を示すように制御することで、０〜９の数字をデジタル表示可能な本発明の光書込み型表示媒体（以下、「数字表示媒体」と称する。）を得ることができる。
【００８２】
【表３】
2007192995.tif 000005
【００８３】
なお、上記表３は、左端列の色（波長）・光量の光を照射することにより、上端行の各表示要素ａ〜ｇの内発色する部位を○印を付してまとめたものである。
上記表２および表３から、本例の数字表示媒体に対して、下記表４に示すようにそれぞれの光（ミックス光）を照射することで、０〜９の数字を選択的に書込み・表示することができる。
【００８４】
【表４】
2007192995.tif 000006
【００８５】
本例の数字表示媒体は、図１に示す表示媒体１とほぼ同様の構成で製造することができる。具体的には、平面的に見て表示要素に相当する部位に対して、適宜、ＯＰＣ層（光導電層）１０の電荷発生材料を変えて感度を示す波長を選択し、ＯＰＣ層１０の厚みを変えたり電荷発生材料の濃度を変えたりして感度を示す光量を増減し、かつ、緑色光あるいは黄色光のフィルターを配して（不図示）、それぞれ「感度を平面的部位毎に異ならせる」制御を施し、その他は図１に示す表示媒体１と同様の構成で製造することができる。
【００８６】
本例の数字表示媒体は、ＯＰＣ層１０および緑色光並びに黄色光のフィルター（不図示）のみが形成される画像の鮮映さに寄与するため、これらの構成要素のみその配置に精度が要求され、他の構成要素には何ら精度は要求されない。例えば、透明電極５，６などは、表示要素毎に細かく分画する必要がなく、表示面全面の一様な平面状の電極を用いれば足り、製造工程の簡略化による大幅な低コスト化が期待できる。
【００８７】
勿論、平面的に見て表示要素の存在しない領域（例えば、図６における表示要素ａ、ｂ，ｇ，ｄ，ｃおよびｅで囲まれる領域の内表示要素ｆの部位以外の領域）には、表示媒体の構成要素を何ら配しなくても構わないので、液晶等原材料費のかかる表示層７については、表示要素となるべき平面的部位にのみ形成して原材料費からのコストダウンを図ることも可能である。
【００８８】
勿論この場合にも、表示要素となるべき平面的部位に表示層７が存在しさえすれば十分なので、配置の精度は全く要求されず、平面的に見て表示要素の存在しない領域にはみ出て形成されていても全く問題ない。つまり、表示層７を表示要素となるべき平面的部位にのみ形成する場合であっても、精度を保つ必要が無いことから製造の簡略化を図ることができ、低コスト化が期待できる。つまり、使用すべき原材料費と製造の簡略化とによる低コスト化を図ることができる。
【００８９】
以上のことから、ＯＰＣ層１０および緑色光並びに黄色光のフィルター（不図示）以外の構成要素については、その原材料費と製造コストとを比較考量して最も簡便かつ低コストとなるように、平面的に一様な層を形成するか、表示要素となるべき平面的部位にのみ、あるいはその周辺を含む領域に層形成するか、各層毎に適宜選択すればよい。
【００９０】
ＯＰＣ層１０の厚みを変えたり、フィルターを配したり、あるいは不要な層の形成を省略したり等により、本例の数字表示媒体は、平面的に見て必要とされる構成要素の合計厚さにバラツキが生ずるが、書込み並びに表示に影響を及ぼさない層を厚めに形成したり、透明の充填剤を適宜配することにより表示媒体として全体的に均一な厚みとすることが好ましい。
【００９１】
本例の数字表示媒体は、以上説明したように、光変調素子などの書込みのための特別な部材を必要とせず、僅か４種類の波長の光を、一部その光量の強弱を可変としつつミックスした書き込み光で０〜９の全ての数字を選択的に表示することができ、極めて簡便で低コストである。また、書込みの際に一様に１種類（ミックス光を含む）の書込み光を照射すればよいので、書込みの際の位置合わせがほとんど必要なく、その点においても簡便かつ低コストであると言える。
【００９２】
さらに、本例の数字表示媒体は、ＯＰＣ層１０および緑色光並びに黄色光のフィルター（不図示）以外の構成要素については、配置の精度が要求されないため、製造コストを低減することができる。元来簡便な電卓用の液晶数字表示媒体であっても、少なくとも一方の電極をセル（表示要素）毎にパターニングしなければならないことから、特に、一対の透明電極５，６についても一様な平面状の層を形成すれば十分である本例の数字表示媒体は、より簡便であると言え、さらなる低コスト化が期待できる。また、透明電極５，６を一様な平面状の層で構成することは、フレキシブル化をも容易とする。
本例の数字表示媒体は、例えば、店頭の値札表示などに利用することができる。
【００９３】
（光量計）
既述のように、本発明に特徴的な「感度特性が平面的部位毎に異なる」態様として、感度特性が平面的に漸次変化する構成や当該構成を含む構成であっても構わないが、当該構成の光書込み型表示媒体によれば、書込み光の光量に応じて発色面積が増減し、これに応じた画像が書込まれ・表示される。
この原理を応用することで光量計を製造することができる。本項では、かかる光量計の例を説明する。
【００９４】
図８は、本発明の例示的一態様である光量計を示す平面図である。図８に示す光量計５１は、可視光の全波長域に感度を有しその光量を棒グラフ状に表示し得る表示要素５２ａと、赤色光に感度を有しその光量を棒グラフ状に表示し得る表示要素５２ｒと、青色光に感度を有しその光量を棒グラフ状に表示し得る表示要素５２ｂとが、グラフの罫線および目盛りが印字されたパネルに配されてなる物である。
【００９５】
本例の光量計５１において、表示要素５２ａ，５２ｒ，５２ｂの各部位については、図１に示す表示媒体１と近似した層構成となっている。図９に、表示要素５２ｒの部位における層構成を説明するための拡大断面図を示す。なお、表示要素５２ｂの部位もこれと同様の層構成であり、表示要素５２ａの部位はこれに若干の修正を加えただけの層構成であるため、これら各層について説明する際には、同様に図９を用いて行うことにする。
【００９６】
本例の光量計５１において、表示要素５２ｒ，５２ｂの各部位については、表示面（おもて面）側から順に、透明基板５３、透明電極５５、表示層５７、ラミネート層５８、フィルター層５９、ＯＰＣ層（光導電層）６０、電極５６および基板５４が積層されてなる。表示要素５２ａの部位については、図９ｂに示される層構成からフィルター層５９を除した構成となっている。ＯＰＣ層６０は、図９における上層から順に上側の電荷発生層６３、電荷輸送層６４および下側の電荷発生層６５が積層されてなる。
【００９７】
基板５４、電極５６およびフィルター層５９を除く各構成要素は、図１を用いて説明した実施形態の光書込み型表示媒体（表示媒体１）における同名の構成要素と基本的に同様の構成であるため、本例に特徴的な構成を除き詳細な説明は割愛する。一方、基板５４および電極５６については、透明でない点が表示媒体１における透明基板４および透明電極６とは異なる。
【００９８】
基板５４としては、従来から用いられている各種半導体基板やプリント基板、木板、樹脂板その他あらゆる板状体を用いることができる。一方、電極５６としては、従来から電極として用いられている各種金属（銅、白金、アルミニウム等）の薄膜あるいは板状体を問題なく用いることができる。
なお、光量計５１のおもて側の面には、透明電極５５と導通する端子６６、および、電極５６と導通する端子６７が表出しており、これを外部電源装置に接続することで、本例の光量計５１が稼動するようになっている。
【００９９】
表示要素５２ｒの部位におけるフィルター層５９は、赤色光のみを透過して他の波長の光を吸収する赤色フィルターが用いられる。一方、表示要素５２ｂの部位におけるフィルター層５９は、青色光のみを透過して他の波長の光を吸収する青色フィルターが用いられる。これにより、表示要素５２ｒの部位は赤色光にのみ感度を有し、表示要素５２ｂの部位は青色光にのみ感度を有するものとなる。また、フィルター層５９を有しない表示要素５２ａの部位は、可視光の全波長域に対して感度を有するものとなる。
【０１００】
表示要素５２ａ，５２ｒ，５２ｂの各部位において形成されるＯＰＣ層６０は、全て同様に可視光の全波長域に対して感度を有するものである。したがって、これらに含まれる電荷発生層１３，１５については、可視光の全波長域に対して感度を有する電荷発生材料を全て同様に用いればよい。
【０１０１】
そして、本例に特徴的な構成として、これら表示要素５２ａ，５２ｒ，５２ｂの各部位において感度特性が平面的に漸次変化するように構成させるべく、電荷発生層１３，１５の厚みを、各棒グラフの下限値（０ｍＷ／ｃｍ2）の位置から上限値（１００ｍＷ／ｃｍ2）の位置まで徐々に薄くなるように形成する。既述のようにＯＰＣ層（６０）では、電荷発生層（１３，１５）の厚みを薄くすると感度が小さくなる、換言すれば、より多くの光量の照射が無いと発色しないことになる。つまり、電荷発生層１３，１５の厚みを連続的に変化（漸次変化）させることで、光量に応じて各棒グラフの発色領域が変化する光量計が得られる。
【０１０２】
図８では、所定の照射光に対して、全光量で６２ａに示す領域が発色し、色分解して赤色光の光量としては６２ｒ、青色光の光量としては６２ｂに示す領域がそれぞれ発色し、それぞれの棒グラフの高さが表示されることで、縦軸の光量を読み取ることができ、全光量、赤色光量および青色光量を計測することができる光量計として機能する。
【０１０３】
実際の計測に際しては、電源装置により端子６６−６７間に所定の電圧を印加した状態で光を当て、棒グラフが表示されたところで電圧印加を解除する。すると、計測された結果がそのまま保持され、計測時の光量をいつでも読み取ることができる。
【０１０４】
本例の光量計によれば、例えば半導体センサ等を用いた光量計に比べて形状の自由度が大きい。また、光量の表示部が光の感知部分（センサ）を兼ねており、簡便である。特に電源装置を小型軽量のものとし、光量計と一体化すれば、一般の温度計や湿度計のように手軽に用いることができ、あらゆる環境における明るさ管理に役立つ物となる。
【０１０５】
本例においても、比較的高精度に配置すべきはＯＰＣ層６０のみであるので、他の構成要素（フィルター層５９を含む）には精度が要求されず、極めて簡便かつ低コストで製造することができる点、また、ＯＰＣ層６０以外の構成要素を表示要素５２ａ，５２ｒ，５２ｂ以外の部位に設けても設けなくても構わず、材料費と製造コストとを比較考量して適宜選択できる点などは、前記数字表示媒体の例の場合と同様である。ただし、フィルター層５９に関しては、赤フィルターが表示要素５２ａ，５２ｂの部位にはみ出したり、青フィルターが表示要素５２ａ，５２ｒの部位にはみ出したりすることは許されない。
【０１０６】
電荷発生層６３，６５の厚さを徐々に変化させるのは、公知の印刷技術によればよい。例えば、インクジェットであれば、噴射する液滴の量を徐々に変化させればよい。また、マスクを用いたスクリーン印刷であれば、マスクの開口部周辺の厚みを徐々に変化させればよい。
【０１０７】
なお、本例においては、電荷発生層６３，６５の厚さを漸次変化させて、照射光に対し無段階に棒グラフが伸縮する構成の光量計を例示したが、電荷発生層６３，６５の厚さを断続的に変化させて、照射光に対し段階的に棒グラフが伸縮する構成の光量計とすることもできる。
【図面の簡単な説明】
【０１０８】
【図１】本発明の例示的一態様である実施形態の光書込み型表示媒体と、それに書き込みを行っている様子を示す概略構成図である。
【図２】コレステリック液晶の分子配向と光学特性の関係を示す模式説明図であり、（Ａ）はプレーナ相、（Ｂ）はフォーカルコニック相、（Ｃ）ホメオトロピック相の各相におけるものである。
【図３】コレステリック液晶のスイッチング挙動を説明するためのグラフである。
【図４】図１に示される実施形態の表示媒体が、平面的部位毎にどのような書込み光に対して感度を有するかについて説明するための模式斜視図である。
【図５】図１および図４に示される実施形態の表示媒体に対して、２種類の書込み光を照射して画像を書込んだ際の状態を示す模式斜視図であり、（ａ）は、書込み光として０．２ｍＷ／ｃｍ2の赤色光を全面照射した状態、図５（ｂ）は、書込み光として２ｍＷ／ｃｍ2の青色光を全面照射した状態をそれぞれ示すものである。
【図６】０〜９の数字をデジタル表示する際の表示要素を示す説明図である。
【図７】０〜９の数字をデジタル表示したときの各表示要素の様子を表す説明図であり、それぞれ括弧内の数字をデジタル表示した状態である。
【図８】本発明の例示的一態様である光量計を示す平面図である。
【図９】図８の光量計における表示要素の部位（赤色光量の棒グラフ部）における層構成を説明するための拡大断面図である。
【符号の説明】
【０１０９】
１：表示媒体（光書込み型表示媒体）、  ３，４，５３：透明基板、  ５，６，５５：透明電極（電極層）、  ７，５７：表示層、  ８，５８：ラミネート層、  ９：着色層、  １０，６０：ＯＰＣ層（光導電層）、  １３，１５，６３，６５：電荷発生層、  １４，６４：電荷輸送層、  １７：電源装置、  １８：光照射装置、  ５１：光量計、  ５２：表示要素、  ５４：基板、  ５６：電極、  ５９：フィルター層、  ６６，６７：端子
【図１】
2007192995.tif 000007
【図２】
2007192995.tif 000008
【図３】
2007192995.tif 000009
【図４】
2007192995.tif 000010
【図５】
2007192995.tif 000011
【図６】
2007192995.tif 000012
【図７】
2007192995.tif 000013
【図８】
2007192995.tif 000014
【図９】
2007192995.tif 000015